(57)【要約】【課題】ディスペンサー全体の大きさをコンパクトにすることができ、不使用時に先端塗布部を保護するカバーを備えたカバー付きディスペンサーを提供する。【解決手段】本体１２と、本体前部の先端開口１２ｅから突出する先端塗布部２０と、不使用時に先端塗布部２０の保護を行なうカバー３０と、を備える。カバー３０は、本体１２にその前後方向に直交する軸の回りで回動可能に取り付けられ、本体１２の少なくとも一部に外側から重なり合うと共に先端塗布部２０を包囲する位置と、先端開口１２ｅから離反する側へと本体１２から後方へ伸張した位置との間で回動可能となっており、伸張した位置で本体１２のリブ１２ｃとカバー３０の溝３０ｇとが嵌合する。【選択図】図２
2010111125.tif 000002
【特許請求の範囲】
【請求項１】
本体と、本体前部の先端開口から突出する先端塗布部と、不使用時に先端塗布部の保護を行なうカバーと、を備え、先端塗布部の下側が被転写面に対して押圧可能となったカバー付きディスペンサーにおいて、
カバーは、本体にその前後及び上下方向に直交する軸の回りで回動可能に取り付けられ、前記本体の少なくとも一部に外側から重なり合うと共に前記先端塗布部を包囲する第１位置と、先端開口から離反する側へと本体から後方へ伸張した第２位置との間で回動可能であり、
前記本体とカバーとのいずれか一方に凸部が、他方に該凸部に嵌合可能な凹部が形成されており、
前記カバーが本体に対して下側から後側へと回動して第１位置から第２位置に達したときに、カバーの第１位置から第２位置へと回動する際の先導となる部分が本体の上部の面に当接することにより、前記カバーのそれ以上の同じ方向の回動が本体の上部の面によって阻止され、同時に前記凸部と前記凹部とが嵌合することを特徴とするカバー付きディスペンサー。
【請求項２】
前記カバーの縁部には、湾曲状の円弧部を有することを特徴とする請求項１記載のカバー付きディスペンサー。
【請求項３】
前記カバーは本体から脱着可能であることを特徴とする請求項１または２記載のカバー付きディスペンサー。
【発明の詳細な説明】
【技術分野】
【０００１】
本発明は、修正用、接着用、マーカー（ハイライター）用等の任意の塗膜を備えた転写テープ等を被転写面に転写・塗布するディスペンサーの先端塗布部を保護するカバーを有するカバー付きディスペンサーに関する。
【背景技術】
【０００２】
従来、この種のカバーを有するカバー付きディスペンサーとしては、例えば特許文献１に記載された塗布具が知られている。
【０００３】
この特許文献１の塗布具では、その転写ヘッドが露出する塗布具容器開口部に転写ヘッドを露出隠蔽できるように摺動自在にスライドカバーが設けられており、スライドカバーの後端には、一対の係止片が設けられており、係止片の先端にある摺動係止突起が塗布具容器内壁の摺動溝内を案内され、係止片の根元部にあって後端縁に位置して突出する補助突片が、塗布具容器内壁に圧接係止されている。
【０００４】
そして、塗布部を使用しないときには、スライドカバーを塗布具容器内部から引き出して、摺動係止突起を摺動溝の前端へと摺動させると、スライドカバーが塗布部を保護することができるようになっている。
【先行技術文献】
【特許文献】
【０００５】
【特許文献１】特開平１１−７８３８１号公報
【発明の概要】
【発明が解決しようとする課題】
【０００６】
しかしながら、上記特許文献１に記載のものでは、スライドカバーを摺動させるための長手方向のストロークを必要とするために、全体的に塗布具の寸法が長くなり、コンパクトな大きさにすることができないという問題がある。
【０００７】
本発明はかかる課題に鑑みなされたもので、ディスペンサー全体の大きさをコンパクトにすることができ、不使用時に先端塗布部を保護するカバーを備えたカバー付きディスペンサーを提供することをその目的とする。また、本発明の他の目的は、カバーが先端塗布部を露出させているときに、先端塗布部の使用勝手を良好にすることができるカバー付きディスペンサーを提供することをその目的とする。
【課題を解決するための手段】
【０００８】
上記目的を達成するために本発明のうち請求項１記載の発明は、本体と、本体前部の先端開口から突出する先端塗布部と、不使用時に先端塗布部の保護を行なうカバーと、を備え、先端塗布部の下側が被転写面に対して押圧可能となったカバー付きディスペンサーにおいて、
カバーは、本体にその前後及び上下方向に直交する軸の回りで回動可能に取り付けられ、前記本体の少なくとも一部に外側から重なり合うと共に前記先端塗布部を包囲する第１位置と、先端開口から離反する側へと本体から後方へ伸張した第２位置との間で回動可能であり、
前記本体とカバーとのいずれか一方に凸部が、他方に該凸部に嵌合可能な凹部が形成されており、
前記カバーが本体に対して下側から後側へと回動して第１位置から第２位置に達したときに、カバーの第１位置から第２位置へと回動する際の先導となる部分が本体の上部の面に当接することにより、前記カバーのそれ以上の同じ方向の回動が本体の上部の面によって阻止され、同時に前記凸部と前記凹部とが嵌合することを特徴とするカバー付きディスペンサー。
【０００９】
請求項２記載の発明は、請求項１記載の前記カバーの縁部に、湾曲状の円弧部を有することを特徴とする。
【００１０】
請求項３記載の発明は、請求項１または２記載の前記カバーが本体から脱着可能であることを特徴とする。
【発明の効果】
【００１１】
本発明によれば、カバーが本体の前後方向に直交する軸の回りで回動するために、カバーが本体の少なくとも一部に外側から重なり合うと共に先端塗布部を包囲する第１位置にあるときには、先端塗布部を保護することができ、その際に、コンパクトな形状とすることができる。また、カバーが先端開口から離反する側へと本体から後方へ伸張した第２位置にあるときには、先端塗布部を露出させるので、先端塗布部を使用することが可能になり、その際に、カバーが伸張するために全体の形状を大きくすることができて、持ちやすく使いやすい形状とすることができる。
【００１２】
また、カバーの回動位置を規制することができて、カバーを把持して先端塗布部を使用するときに、カバーの不用意な回動を防ぐことができて、カバーが先端塗布部を露出させている回動位置を維持することができる。
【００１３】
請求項２記載の発明によれば、カバーを把持して先端塗布部を使用するときに、円弧部によって把持しやすい形状とすることができる。
【００１４】
請求項３記載の発明によれば、カバーが不要なときに取り外すことができるようになる。
【図面の簡単な説明】
【００１５】
【図１】本発明の実施形態に係るカバー付きディスペンサーの側面図であり、カバーが先端塗布部を保護している状態（第１位置）を表す。
【図２】本発明の実施形態に係るカバー付きディスペンサーの側面図であり、カバーが先端塗布部を露出させている状態（第２位置）を表す。
【図３】図２の平面図である。
【図４】本発明の実施形態に係るカバー付きディスペンサーの内部構造を側方から見た図である。
【図５】本発明の実施形態に係るカバー付きディスペンサーの内部構造を上方から見た図である。
【図６】本発明の実施形態に係るカバー付きディスペンサーの使用状態を表す図である。
【発明を実施するための形態】
【００１６】
以下、図面を用いて本発明の実施の形態を説明する。
【００１７】
図１ないし図５は、本発明の実施形態によるカバー付きディスペンサーを表す図である。図示したように、このカバー付きディスペンサー１０は、ディスペンサー本体を構成する本体１２を備えている。
【００１８】
図４及び図５に示したように、本体１２内には、塗膜転写セット１４が設けられている。塗膜転写セット１４は、主として、基材テープに塗膜を備えた転写テープ１６が巻き付けられて、使用時にその転写テープ１６を繰出す繰出リール（繰出部）１８と、転写テープ１６を被転写面に押圧して塗膜を転写する転写ヘッド（先端塗布部）２０と、転写後の転写テープ１６を巻き取る巻取リール（巻取部）２２と、を備えている。この繰出リール１８と巻取リール２２との間には、これらを連動して回転させるための回転伝達機構２４が設けられる。転写ヘッド２０は、その基部が本体１２内で固定され、本体１２の先端に形成された先端開口１２ｅから突出している。
【００１９】
本体１２の後部の外側には、カバー３０が回動可能に取り付けられる。カバー３０は、本体１２の前後方向に直交する軸の回りで回動可能となっている。そのため、本体１２の両側面には、円形凸部１２ａ、１２ａが本体１２の前後方向に直交する方向に突設されている。
【００２０】
カバー３０は、比較的に肉薄または軟質に形成されており、図３等に示したように、一対の板片３０ａ、３０ａと、該一対の板片３０ａ、３０ａの端部において両者を閉じるカバー部３０ｂと、該一対の板片３０ａ、３０ａの中間部において両者を連結する連結部３０ｃと、を有している。各板片３０ａにそれぞれ、前記円形凸部１２ａ、１２ａに嵌合する孔状の円形凹部３０ｄが穿設されている。但し、円形凸部はカバーに、円形凹部は本体に形成されていてもよい。この円形凸部１２ａと円形凹部３０ｄとの嵌合により、これら円形凸部１２ａと円形凹部３０ｄを回動中心として、カバー３０は本体１２に対して回動可能となる。
【００２１】
カバー部３０ｂは、図４に示したように、板片３０ａの２辺に跨りＬ字状の断面形状をなしている。また、図１においてカバー部３０ｂと連結部３０ｃとの間には、開口３０ｅが形成される。この開口３０ｅは少なくとも指が入る位の大きさとなっているとよい。
【００２２】
また、各板片３０ａの図１において上側の縁部は、緩やかに凹となった湾曲状の円弧部３０ｈとなっている。
【００２３】
さらには、各板片３０ａの適宜位置には小孔３０ｆが穿設されており、対応して本体１２の両側面には小突起１２ｂが突設されており、カバー３０が前記転写ヘッド２０を保護した状態で、小孔３０ｆが小突起１２ｂに嵌合するようになっている。但し、小孔は本体に、小突起はカバーに形成されていてもよい。
【００２４】
また、連結部３０ｃの内側の面には、幅方向に伸びる溝（凹部）３０ｇが形成されており、対応して本体１２の上面には、溝３０ｇと嵌合するリブ（凸部）１２ｃが形成されており、リブ１２ｃに近接してストッパとしての段部１２ｄが形成されている。カバー３０が前記転写ヘッド２０を露出させた状態で、溝３０ｇがリブ１２ｃに嵌合するようになっている。但し、溝または凹部は本体に、リブまたは凸部はカバーに形成されていてもよい。
【００２５】
図１は、カバー３０が転写ヘッド２０を保護している状態（第１位置）を表しており、カバー部３０ｂが転写ヘッド２０を包囲している。このとき、前述のように小孔３０ｆと小突起１２ｂとが嵌合しており、この状態を維持することができる。カバー３０は本体１２及び転写ヘッド２０に外側から被さるようになっており、カバー３０は本体１２の少なくとも一部に外側から重なり合って、カバー付きディスペンサー１０全体でコンパクトな形状となっている。
【００２６】
このカバー付きディスペンサー１０の使用をする際には、カバー３０に力をかけて回動させて、小突起１２ｂと小孔３０ｆとの嵌合を外す。このとき、離間したカバー部３０ｂと連結部３０ｃとの間にある開口３０ｅから指を挿入して、開口３０ｅから露出している本体１２を図１の矢印の方向に押圧すると、転写ヘッド２０とカバー部３０ｂとが離反しやすくなる。
【００２７】
尚、カバー３０は、図１に示す状態において、連結部３０ｃのある側を先導する側として図１の曲線矢印で示す方向にのみ回動可能となっている。つまり、開口３０ｅは、先導側に形成されていることに留意されたい。
【００２８】
カバー３０を図１において左回りに約１８０度回動させて、図２に示す状態までに回動させると、カバー３０と本体１２とが前後方向にほぼ直線状に整列した状態（第２位置）となり、カバー付きディスペンサー１０の全長が伸張し、連結部３０ｃがリブ１２ｃと干渉した後、連結部３０ｃが段部１２ｄに当接して、段部１２ｄがそれ以上の回転を防止すると共に溝３０ｇがリブ１２ｃに嵌合して、その状態を維持することができる。連結部３０ｃがリブ１２ｃを乗り越えて溝３０ｇがリブ１２ｃに嵌合することにより、使用者はクリック感を得ることができる。
【００２９】
図２に示す状態では、転写ヘッド２０は完全に露出して使用可能となる。また、カバー付きディスペンサー１０の全長が延びているために、使用者は、カバー３０の部分を主として把持して使用することができる。湾曲しているカバー３０の円弧部３０ｈは、使用者の親指と人差し指との間の指間に載せやすくなっており、持ちやすい形状を呈している。尚、円弧部３０ｈは、カバー３０の板片３０ａの図１から図２へのカバー３０の回動の際の後尾となる側の縁部に形成されている。
【００３０】
そして、カバー３０を把持して、図６に示すように転写ヘッド２０を被転写面Ｓに押圧しながら手前に移動させると、繰出リール１８から繰出された転写テープ１６が転写ヘッド２０によって被転写面に押圧されて塗膜が転写される。この動作の際に、カバー３０には、図６において、使用者の把持によりその回動中心を中心として左回りの回転モーメントが作用するが、連結部３０ｃが段部１２ｄと当接しているために、カバー３０は左回りに回転することはできず、カバー３０と本体１２との直線状に整列した状態を維持することができる。
【００３１】
こうして、使用時には持ちやすく、また、保護時にはコンパクトにすることができるカバー付きディスペンサー１０とすることができる。
【００３２】
カバー３０は、上述のように、比較的に肉薄または軟質に形成されており、または、開口３０ｅが形成されていることにより柔軟で弾性を持つように形成されており、一対の板片３０ａ、３０ａは適宜撓むことができるので、カバー３０が不要な場合には、板片３０ａ、３０ａを撓ませて、互いをやや離反させてその円形凹部３０ｄと円形凸部１２ａとの嵌合を外せば、簡単にカバー３０を本体１２から取り外すことも可能となる。例えば、使用時にカバー３０を上述のように把持するためのものとして使用することを望まない使用者の場合には、カバー３０を本体１２から適宜取り外して使用することもできる。
【００３３】
以上の実施形態では、塗膜転写セット１４が本体１２に対して固定であるものとしたが、これに限るものではない。塗膜転写セット１４は、本体１２に対して脱着・交換可能なカートリッジとすることもでき、その場合に、塗膜転写セット１４を本体１２の前方、即ち、先端開口１２ｅから出し入れして、脱着・交換を行なうようにしてもよいし、または、本体１２の先端開口１２ｅと反対側の後部から出し入れして、脱着・交換を行なうようにしてもよい。いずれにしても、カバー３０を適宜位置に回動させておくことによって、塗膜転写セット１４の出し入れに邪魔にならないようにすることができる。
【符号の説明】
【００３４】
１０  カバー付きディスペンサー
１２  本体
１２ｃ  リブ（凸部）
１２ｅ  先端開口
１４  塗膜転写セット
２０  転写ヘッド（先端塗布部）
３０  カバー
３０ｈ  円弧部
３０ｇ  溝（凹部）
【図１】
2010111125.tif 000003
【図２】
2010111125.tif 000004
【図３】
2010111125.tif 000005
【図４】
2010111125.tif 000006
【図５】
2010111125.tif 000007
【図６】
2010111125.tif 000008